(57)【要約】【課題】奇数枚の集積の際にも容易に対応できるシート体の重ね切断装置を提供すること。【解決手段】２本のフィルム元巻部１，２と、該元巻部からフィルムウェブ１００，２００を別々に巻出すフィルムウェブ巻き出し部１０２，２０２と、ウェブ搬送の途中で２本のフィルムウェブ１００，２００を合流させて２枚重ねにする重ね部３と、２枚重ねになったフィルムウェブを一定長さ毎のフィルムシートに切断する切断手段５と、切断後のフィルムシートを搬送する搬送コンベア６と、搬送された２枚重ねのフィルムシートをトレー上に集積するトレー内集積手段７とを備えたシート体の重ね切断装置において、前記トレー内集積手段７が、前記搬送コンベア６から搬送される２枚重ねのフィルムシートをそのまま、及び又は、前記搬送コンベア６から搬送される２枚重ねのフィルムシートを１枚毎に分離した後、集積するトレー７００を備えるシート体の重ね切断装置。【選択図】　　　　　図１
2004123353.tif 000002
【特許請求の範囲】
【請求項１】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
前記トレー内集積手段が、前記搬送コンベアから搬送される２枚重ねのフィルムシートをそのまま、及び又は、前記搬送コンベアから搬送される２枚重ねのフィルムシートを１枚毎に分離した後、集積するトレーを備えることを特徴とするシート体の重ね切断装置。
【請求項２】
前記トレー内集積手段が、奇数枚のフィルムシートを集積するトレー、該トレーを搬送するベルトコンベアを備え、該ベルトコンベア上に載置されたトレーを所定位置で停止させ該停止しているトレー上に１枚のフィルムシートを載置する載置手段を備え、該１枚のフィルムシートを載置してなるトレー上に前記搬送コンベアから２枚重ねのフィルムシートを供給して集積することを特徴とする請求項１記載のシート体の重ね切断装置。
【請求項３】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
搬送コンベアにより搬送される２枚重ねのフィルムシートのうち一方が不良品である場合に、良品フィルムシートと不良品フィルムシートを分離する分離手段備えることを特徴とするシート体の重ね切断装置。
【請求項４】
分離手段が、２枚重ねのフィルムシートの上面と下面に配置したサクションボックスを備え、該サクションボックスの両面から吸引吸着して２枚のフィルムシートを良品フィルムシートと不良品フィルムシートの１枚ずつに分離することを特徴とする請求項３記載のシート体の重ね切断装置。
【請求項５】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する切断後搬送手段と、搬送された２枚重ねのフィルムシートをトレー上に集積するトレー内集積手段とを備えたシート体の重ね切断装置において、
２本のフィルム元巻に巻かれたフィルムが感度を異にする写真用感光乳剤を塗布してなり、切断手段で切断後の２枚重ねフィルムシートを２枚重ねから１枚ずつに分離する分離手段を備え、分離したフィルムシートをそれぞれ別のトレー上に集積することを特徴とするシート体の重ね切断装置．
【請求項６】
分離手段が、２枚重ねのフィルムシートの上面と下面に配置したサクションボックスを備え、該サクションボックスの両面から吸引吸着して感度を異にする写真用感光乳剤を塗布したフィルムシート毎に分離することを特徴とする請求項５記載のシート体の重ね切断装置。
【請求項７】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
前記フィルムの一方の面に接着力の弱い写真用感光乳剤が塗布されている場合に、前記切断手段が、一対の刃物を備え、少なくとも一方の刃物の刃先の角度が２０°〜４０°であり、フィルムの写真用感光乳剤の塗布されている面を、刃先の角度が２０°〜４０°である刃物の側に向けて配置してなることを特徴とするシート体の重ね切断装置。
【請求項８】
刃先の角度が２０°〜４０°である刃物がフィルムに対して下側に配置される場合、フィルムが刃先に対して０．６ｍｍ〜１．２ｍｍ高く位置するようにフィルムを下から支えるガイドを有することを特徴とする請求項７記載のシート体の重ね切断装置。
【請求項９】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２枚重ねのフィルムウェブを一定長さ毎のフィルムシートに切断する刃物が、フィルムシートの４隅に丸みを付ける一対の刃物を備え、フィルムの一方の面に接着力の弱い写真用感光乳剤が塗布されている場合に、フィルムシートの４隅に丸みを付ける一対の刃物の少なくとも一方の刃物の刃先の角度が２０°〜４０°であり、フィルムの写真用感光乳剤の塗布されている面を、刃先の角度が２０°〜４０°である刃物の側に向けて配置されていることを特徴とするシート体の重ね切断装置。
【請求項１０】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２枚重ねのフィルムウェブを一定長さ毎のフィルムシートに切断する刃物と同期して、フィルムシートの１辺にノッチを設ける刃物が付加されており、フィルムの一方の面に接着力の弱い写真用感光乳剤が塗布されている場合に、フィルムシートの１辺を切欠き状に切断する一対の刃物の少なくとも一方の刃物の刃先の角度が２０°〜４０°であり、フィルムの写真用感光乳剤の塗布されている面を、刃先の角度が２０°〜４０°である刃物の側に向けて配置されていることを特徴とするシート体の重ね切断装置。
【請求項１１】
刃先の角度が２０°〜４０°である刃物の材質の硬さが、１５００Ｈｖ以上であることを特徴とする請求項７、８、９又は１０記載のシート体の重ね切断装置。
【請求項１２】
刃先の角度が２０°〜４０°である刃物の刃先の頂点部の幅が５μｍ以下であることを特徴とする請求項７、８、９又は１０記載のシート体の重ね切断装置。
【請求項１３】
一対の刃物が噛み合った時の隙間が、１０μｍ〜４０μｍであることを特数とする請求項７、８、９又は１０記載のシート体の重ね切断装置。
【請求項１４】
発生したフィルム切断屑を、負圧３００〜２０００ｍｍＡｑで吸引することを特徴とする請求項１〜１３のいずれかに記載のシート体の重ね切断装置。
【請求項１５】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２本のフィルムウェブを２枚重ねにして一定長さ毎のフィルムシートに切断、搬送、トレー上に集積することと、１本のフィルムウェブだけで一定長さ毎のフィルムシートに切断、搬送、トレー上に集積することが、切替えすることにより可能であることを特徴とするシート体の重ね切断装置。
【請求項１６】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２本のフィルムウェブを合流させる前に、それぞれのウェブの張力制御、蛇行制御、不良ラベルの検出、サイドマーク印字を別々に行なう機能が付加されており、一定長さ毎のフィルムシートに切断する直前に、２本のフィルムウェブを合流させて２枚重ねにすることを特徴とするシート体の重ね切断装置。
【請求項１７】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２本のフィルムウェブを合流させて２枚重ねにする重ね部が、２本のフィルムウェブを挟むニップローラーを備え、該ローラーのニップ力が５０〜２００Ｎであることを特徴とするシート体の重ね切断装置。
【請求項１８】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートを集積ボックス内に集積するボックス内集積手段とを備えたシート体の重ね切断装置において、
２枚重ねのフィルムシートをベルトコンベアで搬送した後、集積ボックスの壁に衝突させてフィルムシートを停止させる際に、集積ボックスの壁の上端をベルトコンベア出口に対して１５±５ｍｍ低い位置にすることを特徴とするシート体の重ね切断装置。
【請求項１９】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートを集積ボックス内に集積するボックス内集積手段とを備えたシート体の重ね切断装置において、
２枚重ねのフィルムシートをベルトコンベアで搬送した後、集積ボックスの壁に衝突させてフィルムシートを停止させる際に、集積ボックスの壁にクッション材を設けることを特徴とするシート体の重ね切断装置。
【請求項２０】
２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートを集積ボックス内に集積するボックス内集積手段とを備えたシート体の重ね切断装置において、
２枚重ねのフィルムシートをベルトコンベアで搬送した後、集積ボックスの壁に衝突させてフィルムシートを停止させる際に、集積ボックスの上方から下向きにエアーを吹き付ける手段を備えることを特徴とするシート体の重ね切断装置。
【発明の詳細な説明】
【０００１】
【発明の属する技術分野】
本発明は複数の長尺のプラスチックフィルムを重ねて切断してシートフィルムを作成し集積するシート体の重ね切断装置に関する。
【０００２】
【従来の技術】
従来、特許文献１には、長尺のプラスチックフィルムを重ねて連続的に所定長さに切断し高品質のシートフィルムを生産できるシート切断装置が開示されている。
【０００３】
【特許文献１】特開２０００−２３３８６３号公報
【０００４】
【発明が解決しようとする課題】
特許文献１では、２枚重ねの状態で切断した後、集積ボックスに単に集積し、包装する手法を開示している。
【０００５】
しかるに、集積ボックスに単に集積する手法では、集積の際の枚数が奇数枚の場合に対応できない課題が残されている。
【０００６】
また、２枚のシートフィルムが同じ高品質の場合は問題ないが、一方が品質が劣る場合がある。かかる場合に、同じボックスに集積されてしまうと品質の悪いシートフィルムが集荷されるおそれがあるので、包装前に品質の不良はフィルムシートは除外されることが望ましい。
【０００７】
更に集積ボックスの集積する際に、集積ボックスの壁にフィルムシートが衝突した際に、フィルムシートが折れたり、思うように集積できなかったりする場合があるので、それらの対応も望まれる。
【０００８】
そこで、本発明の課題は、奇数枚の集積の際にも容易に対応できるシート体の重ね切断装置を提供することにある。
【０００９】
また本発明の他の課題は、包装前に品質の劣るフィルムシートを除外できるシート体の重ね切断装置を提供することにある。
【００１０】
更に本発明の他の課題は、従来の集積ボックスの集積の際の不都合を解消するシート体の重ね切断装置を提供することにある。
【００１１】
また本発明の他の課題は以下の記載によって明らかとなる。
【００１２】
【課題を解決するための手段】
上記課題は、以下の各発明によって解決される。
【００１３】
（請求項１）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
前記トレー内集積手段が、前記搬送コンベアから搬送される２枚重ねのフィルムシートをそのまま、及び又は、前記搬送コンベアから搬送される２枚重ねのフィルムシートを１枚毎に分離した後、集積するトレーを備えることを特徴とするシート体の重ね切断装置。
【００１４】
（請求項２）前記トレー内集積手段が、奇数枚のフィルムシートを集積するトレー、該トレーを搬送するベルトコンベアを備え、該ベルトコンベア上に載置されたトレーを所定位置で停止させ該停止しているトレー上に１枚のフィルムシートを載置する載置手段を備え、該１枚のフィルムシートを載置してなるトレー上に前記搬送コンベアから２枚重ねのフィルムシートを供給して集積することを特徴とする請求項１記載のシート体の重ね切断装置。
【００１５】
（請求項３）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
搬送コンベアにより搬送される２枚重ねのフィルムシートのうち一方が不良品である場合に、良品フィルムシートと不良品フィルムシートを分離する分離手段備えることを特徴とするシート体の重ね切断装置。
【００１６】
（請求項４）分離手段が、２枚重ねのフィルムシートの上面と下面に配置したサクションボックスを備え、該サクションボックスの両面から吸引吸着して２枚のフィルムシートを良品フィルムシートと不良品フィルムシートの１枚ずつに分離することを特徴とする請求項３記載のシート体の重ね切断装置。
【００１７】
（請求項５）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する切断後搬送手段と、搬送された２枚重ねのフィルムシートをトレー上に集積するトレー内集積手段とを備えたシート体の重ね切断装置において、
２本のフィルム元巻に巻かれたフィルムが感度を異にする写真用感光乳剤を塗布してなり、切断手段で切断後の２枚重ねフィルムシートを２枚重ねから１枚ずつに分離する分離手段を備え、分離したフィルムシートをそれぞれ別のトレー上に集積することを特徴とするシート体の重ね切断装置．
（請求項６）分離手段が、２枚重ねのフィルムシートの上面と下面に配置したサクションボックスを備え、該サクションボックスの両面から吸引吸着して感度を異にする写真用感光乳剤を塗布したフィルムシート毎に分離することを特徴とする請求項５記載のシート体の重ね切断装置。
【００１８】
（請求項７）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
前記フィルムの一方の面に接着力の弱い写真用感光乳剤が塗布されている場合に、前記切断手段が、一対の刃物を備え、少なくとも一方の刃物の刃先の角度が２０°〜４０°であり、フィルムの写真用感光乳剤の塗布されている面を、刃先の角度が２０°〜４０°である刃物の側に向けて配置してなることを特徴とするシート体の重ね切断装置。
【００１９】
（請求項８）刃先の角度が２０°〜４０°である刃物がフィルムに対して下側に配置される場合、フィルムが刃先に対して０．６ｍｍ〜１．２ｍｍ高く位置するようにフィルムを下から支えるガイドを有することを特徴とする請求項７記載のシート体の重ね切断装置。
【００２０】
（請求項９）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２枚重ねのフィルムウェブを一定長さ毎のフィルムシートに切断する刃物が、フィルムシートの４隅に丸みを付ける一対の刃物を備え、フィルムの一方の面に接着力の弱い写真用感光乳剤が塗布されている場合に、フィルムシートの４隅に丸みを付ける一対の刃物の少なくとも一方の刃物の刃先の角度が２０°〜４０°であり、フィルムの写真用感光乳剤の塗布されている面を、刃先の角度が２０°〜４０°である刃物の側に向けて配置されていることを特徴とするシート体の重ね切断装置。
【００２１】
（請求項１０）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２枚重ねのフィルムウェブを一定長さ毎のフィルムシートに切断する刃物と同期して、フィルムシートの１辺にノッチを設ける刃物が付加されており、フィルムの一方の面に接着力の弱い写真用感光乳剤が塗布されている場合に、フィルムシートの１辺を切欠き状に切断する一対の刃物の少なくとも一方の刃物の刃先の角度が２０°〜４０°であり、フィルムの写真用感光乳剤の塗布されている面を、刃先の角度が２０°〜４０°である刃物の側に向けて配置されていることを特徴とするシート体の重ね切断装置。
【００２２】
（請求項１１）刃先の角度が２０°〜４０°である刃物の材質の硬さが、１５００Ｈｖ以上であることを特徴とする請求項７、８、９又は１０記載のシート体の重ね切断装置。
【００２３】
（請求項１２）刃先の角度が２０°〜４０°である刃物の刃先の頂点部の幅が５μｍ以下であることを特徴とする請求項７、８、９又は１０記載のシート体の重ね切断装置。
【００２４】
（請求項１３）一対の刃物が噛み合った時の隙間が、１０μｍ〜４０μｍであることを特数とする請求項７、８、９又は１０記載のシート体の重ね切断装置。
【００２５】
（請求項１４）発生したフィルム切断屑を、負圧３００〜２０００ｍｍＡｑで吸引することを特徴とする請求項１〜１３のいずれかに記載のシート体の重ね切断装置。
【００２６】
（請求項１５）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２本のフィルムウェブを２枚重ねにして一定長さ毎のフィルムシートに切断、搬送、トレー上に集積することと、１本のフィルムウェブだけで一定長さ毎のフィルムシートに切断、搬送、トレー上に集積することが、切替えすることにより可能であることを特徴とするシート体の重ね切断装置。
【００２７】
（請求項１６）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２本のフィルムウェブを合流させる前に、それぞれのウェブの張力制御、蛇行制御、不良ラベルの検出、サイドマーク印字を別々に行なう機能が付加されており、一定長さ毎のフィルムシートに切断する直前に、２本のフィルムウェブを合流させて２枚重ねにすることを特徴とするシート体の重ね切断装置。
【００２８】
（請求項１７）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートをトレー上に集積するトレー内集積手段とを備えたシート体の重ね切断装置において、
２本のフィルムウェブを合流させて２枚重ねにする重ね部が、２本のフィルムウェブを挟むニップローラーを備え、該ローラーのニップ力が５０〜２００Ｎであることを特徴とするシート体の重ね切断装置。
【００２９】
（請求項１８）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートを集積ボックス内に集積するボックス内集積手段とを備えたシート体の重ね切断装置において、
２枚重ねのフィルムシートをベルトコンベアで搬送した後、集積ボックスの壁に衝突させてフィルムシートを停止させる際に、集積ボックスの壁の上端をベルトコンベア出口に対して１５±５ｍｍ低い位置にすることを特徴とするシート体の重ね切断装置。
【００３０】
（請求項１９）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートを集積ボックス内に集積するボックス内集積手段とを備えたシート体の重ね切断装置において、
２枚重ねのフィルムシートをベルトコンベアで搬送した後、集積ボックスの壁に衝突させてフィルムシートを停止させる際に、集積ボックスの壁にクッション材を設けることを特徴とするシート体の重ね切断装置。
【００３１】
（請求項２０）２本のフィルム元巻部と、該元巻部からフィルムウェブを別々に巻出すフィルムウェブ巻き出し部と、ウェブ搬送の途中で２本のフィルムウェブを合流させて２枚重ねにする重ね部と、２枚重ねになったフィルムウェブを一定長さ毎のフィルムシートに切断する切断手段と、切断後のフィルムシートを搬送する搬送コンベアと、搬送された２枚重ねのフィルムシートを集積ボックス内に集積するボックス内集積手段とを備えたシート体の重ね切断装置において、
２枚重ねのフィルムシートをベルトコンベアで搬送した後、集積ボックスの壁に衝突させてフィルムシートを停止させる際に、集積ボックスの上方から下向きにエアーを吹き付ける手段を備えることを特徴とするシート体の重ね切断装置。
【００３２】
【発明の実施の形態】
以下、本発明の実施の形態を図面に基づいて説明するが、本発明はこれらによって限定されない。
【００３３】
（第１の態様）
図１は、第１の態様を示す概略側面図であり、同図において、１、２は２本のフィルム元巻部である。写真感光乳剤が長尺のプラスチックの両面に塗布された２本のフィルムウェブ１００，２００がロール状にそれぞれ元巻き軸１０１，２０１に巻かれている。
【００３４】
該フィルムウェブ１００、２００はフィルムウェブ巻き出し部を構成する駆動ローラ１０２，２０２によって引き出される。
【００３５】
引き出されたそれぞれのフィルムウェブは、重ね部３において、ウェブ搬送の途中で２本のフィルムウェブを合流させて２枚重ねにされる。重ね部３は下方の支持ロール３００と上方の押圧ロール３０１の一対のロールによって構成され、上方の押圧ロール３０１は押しバネ３０２によって上方から下方に押圧可能に構成されることにより２本のフィルムウェブを重ねることができる。
【００３６】
２枚重ねになったフィルムウェブ１００，２００は、コンベア４で、上下から支持しつつ搬送され、切断手段５に至る。コンベア４は２枚重ねになったフィルムウェブ１００，２００の上方から下方に向かって押圧支持搬送するコンベア４００と下方から上方に向かって押圧支持搬送するコンベア４０１によって構成される。
【００３７】
切断手段５は一対の上下刃（下刃５００、上刃５０１）によって構成される切断刃を備え、一定長さ毎のフィルムシート５０２に切断する。一定長さ毎のフィルムシートに切断するには、フィルムシートを停止させて切断する場合には、フィルムシートの長さ分だけ離して上流側と下流側のそれぞれに一対の上下刃を備えることが好ましい。符号５００、５０１は上流側の上下一対の切断刃であり、５０３、５０４は下流側の上下一対の切断刃である。一対の切断刃５００、５０１と一対の切断刃５０３、５０４の間はフィルムシートの長さ分だけ隙間があるので、フィルムシートが浮いたりするおそれがあるので、図示のような支持手段を設けることが好ましい。具体的には、フィルムシート５０２の下方からコンベア５０５によって支持し、押圧ロール５０６によって上方から下方に向かって押圧支持する。押圧ロール５０６は押しばね５０７を備えている。なお、図示では押圧ロールを２つ設けているが個数は限定されない。
【００３８】
切断後のフィルムシート５０２は、搬送コンベア６によってトレー内集積手段７に向かって搬送される。搬送コンベア６はフィルムシート５０２の下方から支持搬送するコンベア６００と、上方から支持搬送するコンベア６０１によって構成される。搬送コンベア６はトレー内集積手段７まで適切に搬送可能なように複数設けることができる。
【００３９】
集積手段７は、搬送された２枚重ねのフィルムシート５０２をトレー７００上に集積する。
【００４０】
本発明において、トレー内集積手段７は、▲１▼前記搬送コンベア６から搬送される２枚重ねのフィルムシート５０２をそのままトレー７００に集積する態様、▲２▼前記搬送コンベア６から搬送される２枚重ねのフィルムシートを１枚毎に分離した後集積するトレー７００に集積する態様、及び▲３▼上記▲１▼と▲２▼の態様を組み合わせた態様を含む。
【００４１】
▲１▼の２枚重ねのフィルムシート５０２をそのままトレー７００に集積する態様によると、１枚だけ付加すればよいので、奇数枚集積する場合に容易に集積できる。
【００４２】
▲２▼の２枚重ねのフィルムシートを１枚毎に分離した後集積するトレー７００に集積する態様によると、品質のよいフィルムシートと品質の悪いフィルムシートを別々のトレーに集積できる。
【００４３】
▲３▼の態様によると、２枚とも品質のよいフィルムシートの場合には分離せずそのままトレーに集積し、２枚のフィルムシートが品質のよいフィルムシートと品質の悪いフィルムシートである場合、別々のトレーに集積できる。
【００４４】
（第２の態様）
次に本発明の第２の態様としては、図２に示す態様が挙げられる。本態様はトレー７００に奇数枚（例えば１２５枚）のフィルムシートを集積する例である。
【００４５】
図２に示す態様では、トレー内集積手段７は、トレー７００及び該トレー７００を搬送するベルトコンベア７０１（サクションコンベア）を備えている。
【００４６】
ベルトコンベア７０１は、両端に配置される回動ロール７０２、７０３を備えており、回動ロール７０２と回動ロール７０３の間には吸引チャンバ７０４が配置されており、該回動ロール７０２と回動ロール７０３に３本のベルト７０５、７０５、７０５が架けられている。３本のベルト７０５、７０５、７０５には複数の吸引孔７０６、７０６、７０６・・・・・・・が形成されており、該吸引孔７０６、７０６、７０６・・・・・・・は吸引チャンバ７０４と連通しており、ベルト上の搬送物を吸引しながら搬送可能に構成されている。
【００４７】
図２において、７０７はベルトコンベア７０１の近傍に載積されているトレー積置部であり、７０８はトレー積置部７０７からトレーを吸引しながらベルトコンベア７０１上に移載するトレー移載手段である。７０９はベルトコンベア７０１の近傍に載積されているフィルムシート集積部であり、７１０はフィルムシート集積部７０９からフィルムシートを吸引しながらベルトコンベア７０１上に移載するフィルムシート移載手段である。このフィルムシートは２枚重ねのフィルムシートと類似のものであればよい。
【００４８】
以上の装置において、トレーに奇数枚（例えば１２５枚）のフィルムシートを集積するには、ベルトコンベア７０１を所定位置で停止させ、トレー積置部７０７からトレー移載手段７０８によりトレー７００をベルトコンベア７０１上に移載する（図面上最も左側の位置）。
【００４９】
次いで、トレー載置後ベルトコンベア７０１を稼動する。所定位置までトレーが移動したら（図面上中間の位置）、ベルトコンベア７０１を停止する。停止状態でフィルムシート集積部７０９からフィルムシート移載手段７１０により１枚のフィルムシートをトレー上に移載する。
【００５０】
次いで、ベルトコンベア７０１を稼動し、１枚のフィルムシートを載置したトレーが図面上最も右側の位置に来たら停止する。この位置で２枚重ねのフィルムシート５０２を搬送する搬送コンベア６から２枚重ねのフィルムシート５０２を１枚のフィルムシートが載置されたトレー上に移載する。
【００５１】
この移載によってトレー上には３枚のフィルムシートが載置され、その位置で２枚重ねのフィルムシート５０２を逐次移載し、載置すると、１２４枚載置した段階で、合計１２５枚（奇数枚）が載置される。
【００５２】
（第３の態様）
次に、本発明の第３の態様を図３及び図４に基づいて説明する。
【００５３】
図３に示す態様は、２枚重ねのフィルムの何れか一方が不良フィルムで、他方が良品フィルムの場合に、不良フィルムと良品フィルムを別々に集積する例である。
【００５４】
２枚重ねのフィルムシート５０２を搬送コンベア６００と６０１により搬送した後、方向切替コンベア６０２に送る。
【００５５】
２枚重ねのフィルムシートのうち上側が不良フィルムで、下側が良品フィルムの場合、２枚重ねのフィルムシート５０２は方向切替コンベア６０２で上側の搬送経路に送られる。
【００５６】
上側の搬送経路には搬送コンベア６０３が配置され、搬送コンベア６０３を経由したフィルムシート５０２は、サクションコンベア６０４と６０５に送られる。
【００５７】
サクションコンベア６０４と６０５の構造は、図５に示されており、同図に示すように、サクションボックス６０６の両端に搬送ロール６０７、６０８は設けられ、搬送ロール６０７と６０８の間に例えば３本のベルト６０９、６０９、６０９が架けられている。３本のベルト６０９、６０９、６０９には多数の吸引孔６１０が形成されており、サクションボックス６０６から吸引可能なように連通している。サクションボックス６０６には吸引管６１１が設けられ、図示ない吸引ブロワーから吸引可能に構成されている。このように構成すると、フィルムシートはベルトに吸引された状態で搬送可能である。
【００５８】
二つのサクションコンベア６０４と６０５は図６に示すように配置され、その間に送られたフィルムシート５０２のうち、上側の不良フィルムはサクションコンベア６０４によって吸引搬送され、下側の良品フィルムはサクションコンベア６０５によって吸引搬送される。
【００５９】
サクションコンベア６０４によって吸引搬送される不良フィルムは、コンベア６１２と６１３を介してトレー７００Ａに集積される。
【００６０】
またサクションコンベア６０５によって吸引搬送される良品フィルムは、コンベア６１４、６１５、６１６、６１７を介してトレー７００Ｂに集積される。
【００６１】
一方、２枚重ねのフィルムシートのうち上側が良品フィルムで、下側が不良フィルムの場合、２枚重ねのフィルムシート５０２は方向切替コンベア６０２で下側の搬送経路に送られる。
【００６２】
下側の搬送経路には搬送コンベア６２０が配置され、搬送コンベア６２０を経由したフィルムシート５０２は、サクションコンベア６２１と６２２に送られる。
【００６３】
サクションコンベア６２１と６２２の構造及び配置は基本的にサクションコンベア６０４と６０５の構造及び配置と同じであり（図５及び図６参照）、その詳細な説明は省略する。
【００６４】
サクションコンベア６２１によって吸引搬送される良品フィルムは、コンベア６２３、６１７を介してトレー７００Ｂに集積される。
【００６５】
またサクションコンベア６２２によって吸引搬送される不良フィルムは、コンベア６２４を介してトレー７００Ｃに集積される。なお、コンベア搬送経路を変化させればトレーＣとトレーＡは共用できる。
【００６６】
以上詳述したように、良品フィルムシートと不良フィルムシートを分離する分離手段として、例えば方向切替コンベア６０２、サクションコンベア６０４と６０５及びサクションコンベア６２１と６２２を備えると、良品フィルムと不良フィルムを簡単な構造の搬送機構で別々のトレーに集積可能である。
【００６７】
また、上記の態様で、不良フィルムを集積するトレーを設けず、集積ボックスに排出する態様でもよい。この態様であれば、良品フィルムのみをトレーに集積できることになる。
【００６８】
更に良品フィルムと不良フィルムを判別手段は特に限定されず、公知の手段を採用できる。
【００６９】
次に、図４に基づいて、第３の態様の別の態様を説明する。
【００７０】
図４に示す態様は、２枚重ねのフィルムを１枚毎に分離する段階で、何れが不良フィルム、良品フィルムであるか不明の場合に、不良フィルムと良品フィルムを別々に集積する例である。
【００７１】
２枚重ねのフィルムシートを搬送コンベア６からサクションコンベア６２５と６２６の間に搬入する。
【００７２】
サクションコンベア６２５と６２６の構造及び配置は基本的にサクションコンベア６０４と６０５の構造及び配置と同じであり（図５及び図６参照）、その詳細な説明は省略する。
【００７３】
サクションコンベア６２５と６２６の間に搬入された２枚重ねのフィルムシートはサクションコンベア６２５と６２６によって１枚ずつに分離される。
【００７４】
上側に分離されたフィルムシートは搬送コンベア６２７によって搬送され、方向切替コンベア６２８に送られる。
【００７５】
方向切替コンベア６２８において、搬送されるフィルムシートが不良フィルムシートである場合には、集積ボックス６２９に集積される。
【００７６】
また方向切替コンベア６２８において、搬送されるフィルムシートが良品フィルムシートである場合には、コンベア６３０とコンベア６３１を介してトレー７００に集積される。
【００７７】
一方、下側に分離されたフィルムシートは搬送コンベア６３２によって搬送され、方向切替コンベア６３３に送られる。
【００７８】
方向切替コンベア６３３において、搬送されるフィルムシートが不良フィルムシートである場合には、集積ボックス６３４に集積される。
【００７９】
また方向切替コンベア６３３において、搬送されるフィルムシートが良品フィルムシートである場合には、コンベア６３５とコンベア６３１を介してトレー７００に集積される。
【００８０】
なお、上記の態様で、不良フィルムシートを集積する集積ボックスは集積トレーであってもよい。
【００８１】
（第４の態様）
次に、本発明の第４の態様について説明する。
【００８２】
第３の態様においては、良品フィルムシートと不良フィルムシートとを分離する態様であったが、この態様は、２枚重ねのフィルムシートが感度を異にする写真用感光乳剤を塗布してなるシートを分離し、分離後に良品フィルムと不良フィルムに分離する点で異なる。また分離後に感度を異にする写真用感光乳剤を塗布してなるシートは別々のトレーに分離される。
【００８３】
図７には、感度を異にする２枚のフィルムシートを１枚ずつに分離する手段が示されている。
【００８４】
２枚重ねの感度を異にする写真用感光乳剤を塗布してなるフィルムシートを搬送コンベア６からサクションコンベア６２５と６２６の間に搬入する。
【００８５】
サクションコンベア６２５と６２６の構造及び配置は基本的にサクションコンベア６０４と６０５の構造及び配置と同じであり（図５及び図６参照）、その詳細な説明は省略する。
【００８６】
サクションコンベア６２５と６２６の間に搬入された２枚重ねの感度を異にするフィルムシートはサクションコンベア６２５と６２６によって感度を異にするフィルムシート毎に分離される。
【００８７】
上側に分離されたフィルムシートは搬送コンベア６２７によって搬送され、方向切替コンベア６２８に送られる。
【００８８】
方向切替コンベア６２８において、良品フィルムシートと不良フィルムシートに分離される。
【００８９】
不良フィルムシートである場合には、集積ボックス６２９に集積される。良品フィルムシートである場合には、コンベア６３０とコンベア６３１を介してトレー７００に集積される。
【００９０】
一方、下側に分離されたフィルムシートは搬送コンベア６３２によって搬送され、方向切替コンベア６３３に送られる。方向切替コンベア６３３において、搬送されるフィルムシートが不良フィルムシートである場合には、集積ボックス６３４に集積される。
【００９１】
また方向切替コンベア６３３において、搬送されるフィルムシートが良品フィルムシートである場合には、コンベア６３６を介してトレー７５０に集積される。
【００９２】
なお、上記の態様で、不良フィルムシートを集積する集積ボックスは集積トレーであってもよい。
【００９３】
（第５の態様）
次に、本発明の第５の態様を説明する。
【００９４】
本態様は、図８に示すように切断手段に特徴を有するもので、切断手段が一対の刃物を備えている。図７において、５００は下刃であり、５０１は上刃である。本態様では下刃５００は刃物の刃先５１０の角度αが２０°〜４０°である。また本態様では、フィルムの写真用感光乳剤の塗布されている面１００Ａを、刃先５１０の角度が２０°〜４０°である刃物の側に向けて配置し、切断することを特徴とする。
【００９５】
かかる刃先角度であると、フィルム切断時にフィルム１００（２００）の乳剤膜がフィルム基体から剥がれてしまうのを防止できる。
【００９６】
下刃５００の具体的形態は図９に示す例が挙げられる。図９において、５１０が刃先であり、上記の刃先角度を有している。
【００９７】
次に本態様で、他の好ましい態様は、図１０に示すように、刃先の角度が２０°〜４０°である刃物５００がフィルム１００に対して下側に配置される場合、フィルム１００が刃先５１０に対して０．６ｍｍ〜１．２ｍｍ高く位置するようにフィルムを下から支えるガイド５１１を有することである。
【００９８】
かかる構成によると、フィルムの自重により垂れ下がって刃先に接触し、フィルムにキズが付くのを防止できる。０．６ｍｍより低いと、フィルム搬送中に刃先に接触してキズがつき、１．２ｍｍより高いと、フィルムが刃物に対して斜めになるため、切断しずらくなる。なお。ガイドの形態は図示に限定されず、種々の形態をとり得る。
【００９９】
更に本態様で、更に好ましいのは、２枚重ねのフィルムウェブを一定長さ毎のフィルムシートに切断する刃物が、フィルムシートのコーナーに丸みを付ける刃部が形成されてなることである。具体的には、図９に示すように、刃物５００の両端側にはフィルムシートの隅を丸く加工できる丸み５１２を有している態様が挙げられる。
【０１００】
また上記のような下刃の刃先の形態に応じて、上刃の形態もフィルムシートのコーナーに丸みを付ける刃先を有していることが好ましい。
【０１０１】
図１１には、フィルムシートの４隅を丸くする切断加工手段が示されており、同図において、ロール５１３によって支持搬送される２枚重ねのフィルムシート５０２は、進行方向の後方側に、図９に示す下刃５００が配置され、上刃５０１も丸みを付ける加工が施された刃先を備えている。下刃５００と上刃５０１は同期して丸み加工をしながら、フィルムシート５０２を所定長さに切断する。下刃５００の刃先角度は前述のように２０°〜４０°の鋭角を成している。下刃の刃先は下刃とは別途に製造されて下刃に固着されてもよいし、あるいは一体に成形製造されてもよい。
【０１０２】
進行方向の前方には、フィルムシート５０２の下面に下刃５０４，５０４が配置され、上面に上刃５０３，５０３が配置されている。下刃５０４，５０４には、角度が２０°〜４０°である刃先が備えられている。そして下刃５０４，５０４と上刃５０３，５０３は共にフィルムシートの隅を丸くするために図示のような丸みが形成されている。なお、フィルムシートを所定長さに切断する刃物は図示されていないが、下刃５０４、５０４と一体に形成されてもよいし、別体に形成されてもよい。また上刃５０３、５０３と一体に形成されてもよいし、別体に形成されてもよい。いずれの場合も、所定長さに切断する刃物と丸みを付ける刃物は同期していることが好ましい（一体の場合は当然同期可能である）。
【０１０３】
上下一対の刃物に丸みをつけると、フィルムシートの４隅に丸みをつけることができる。かかる丸みを有すると、医者や検査技師がフィルムを手で持ったときにフィルムの角で手を傷つけるのを防止できる。また角の引っかかりがなくなりフィルムシートの搬送や集積が容易になり、また包装作業も容易になる。
【０１０４】
５０８、５０９はフィルムシート５０２の端を切り欠くための切り欠き手段で、上下一対で切り欠き可能に配置されている。図示の例では下刃５０８と上刃５０９によって丸く切り欠くことが可能である。
【０１０５】
かかる切り欠き手段は、上記の所定長さに切断する刃物や丸み形成刃物とは別個に設けてもよいし、一体に形成することも可能である。所定長さに切断する刃物と切り欠きを付ける刃物は同期していることが好ましい（一体の場合は当然同期可能である）。
【０１０６】
上記の所定長さの切断や、丸みを付ける加工の際に、下刃の刃先は角度が２０°〜４０°であることが好ましい。そしてフィルムシート５０２の写真用感光乳剤の塗布されている面を、刃先の角度が２０°〜４０°である刃物の側に向けて配置することが好ましい。フィルム切断時にフィルムシートの乳剤膜がフィルム基体から剥がれてしまうのを防止できるからである。
【０１０７】
次に、本態様における更に好ましい態様を図１２に基づいて説明する。
【０１０８】
刃先の角度が２０°〜４０°である刃物の材質の硬さは、１５００Ｈｖ以上であることが好ましい。刃先の角度が２０°〜４０°である刃物というのは、図１２において、下刃の刃先５１０である。刃物の材質の硬さが１５００Ｈｖ以上であると、刃先の磨耗を防止できるという効果がある。刃物の材質の硬さの測定は、ビッカース硬さ試験による。
【０１０９】
また刃先の角度が２０°〜４０°である刃物の刃先の頂点部の幅Ｌ１は、５μｍ以下であることが好ましい。幅Ｌ１が５μｍ以下であると、フィルム切断時にフィルムシートの乳剤膜がフィルム基体から剥がれてしまうのを防止できる効果がある。
【０１１０】
更に、一対の刃物が噛み合った時の隙間Ｌ２は、１０μｍ〜４０μｍであることが好ましい。隙間Ｌ２が１０μｍ〜４０μｍであると、フィルム切断時にフィルムシートの乳剤膜がフィルム基体から剥がれてしまうのを防止できる効果がある。
【０１１１】
更に、発生したフィルム切断屑は、負圧３００〜２０００ｍｍＡｑで吸引することが好ましい。負圧３００〜２０００ｍｍＡｑで吸引すると、フィルム切断屑を飛び散らさず回収できる効果がある。
【０１１２】
（第６の態様）
次に、本発明の第６の態様を説明する。
【０１１３】
第６の態様は、２本のフィルムウェブを２枚重ねにして一定長さ毎のフィルムシートに切断、搬送、トレー上に集積することと、１本のフィルムウェブだけで一定長さ毎のフィルムシートに切断、搬送、トレー上に集積することが、切替えすることにより可能であることである。
【０１１４】
この態様を実現するには、２本のフィルム元巻部１、２からフィルムウェブを別々に巻出すフィルムウェブ巻き出し部を構成する駆動ローラ１０２と２０２の何れか一方のみを作動させることである。この場合、重ね部３の押しバネ３０２を開放にしておくことが好ましい。この態様によると、２枚重ねのフィルムシートの切断と、１枚のフィルムシートの切断を選択的に行える。
【０１１５】
（第７の態様）
次に、本発明の第７の態様を説明する。
【０１１６】
第７の態様は、２本のフィルムウェブを合流させる前に、それぞれのウェブの張力制御、蛇行制御、不良ラベルの検出、サイドマーク印字を別々に行なう機能が付加されており、一定長さ毎のフィルムシートに切断する直前に、２本のフィルムウェブを合流させて２枚重ねにすることを特徴とする。
【０１１７】
図１に示す装置において、２本のフィルム元巻部１、２と、ウェブ搬送の途中で２本のフィルムウェブを合流させて２枚重ねにする重ね部３の間に、図１３に示すように、２本のフィルム元巻部１、２からそれぞれ巻き出す過程に、ウェブの張力制御部８、９、サイドマーク印字部１０、１１、蛇行制御部１２、１３、不良ラベルの検出部１４、１５が設けられている。
【０１１８】
ウェブの張力制御部８、９はバネ弾性を利用して張力を制御する。サイドマーク印字部１０、１１はフィルムシートの端に情報を印字する役割を果たす。
【０１１９】
蛇行制御部１２、１３はフィルムシートの搬送中に蛇行を制御する機能を果たす。不良ラベルの検出部１４、１５は光検出器など用いて検出する。
【０１２０】
（第８の態様）
次に、本発明の第８の態様について説明する。
【０１２１】
本態様は、図１において、２本のフィルムウェブを合流させて２枚重ねにする重ね部３が、２本のフィルムウェブを挟むニップローラー３００、３０１を備え、該ローラーのニップ力が５０〜２００Ｎであることを特徴とする。
【０１２２】
ローラーのニップ力が５０〜２００Ｎであることにより、２枚のフィルムを搬送方向にズレなく搬送することができる。
【０１２３】
（第９の態様）
次に、本発明の第９の態様について説明する。
【０１２４】
このシート体の重ね切断装置は、図１における２本のフィルム元巻部１、２と、該元巻部１、２からフィルムウェブを別々に巻出すフィルムウェブ巻き出し部１０２、２０２と、ウェブ搬送の途中で２本のフィルムウェブを合流させて２枚重ねにする重ね部３と、２枚重ねになったフィルムウェブを一定長さ毎のフィルムシートに切断する切断手段５と、切断後のフィルムシートを搬送する搬送コンベア６とを備える点は、上記の態様と同様であるが、搬送された２枚重ねのフィルムシートを集積ボックス内に集積するボックス内集積手段を備えている点で異なっている。
【０１２５】
この態様の特徴は、２枚重ねのフィルムシートをベルトコンベアで搬送した後、集積ボックスの壁に衝突させてフィルムシートを停止させる際に、集積ボックスの壁の上端をベルトコンベア出口に対して１５±５ｍｍ低い位置にすることである。
【０１２６】
図１４には、集積ボックスの壁に衝突させてフィルムシートを停止させる状態が示されており、図１３において、７５０は集積ボックスであり、ベルトコンベア６から送られるフィルムシート５０２が衝突する側の壁７５１の上端とベルトコンベア出口の高さ位置Ｘの距離Ｙは１５±５ｍｍである。この差を設けると、フィルムシート５０２の集積が確実に行える効果がある。
【０１２７】
（第１０の態様）
次に本発明の第１０の態様を説明する。
【０１２８】
ボックス内集積手段を備えている点は第９の態様と同じであり、２枚重ねのフィルムシートをベルトコンベアで搬送した後、集積ボックスの壁に衝突させてフィルムシートを停止させる点も同様である。
【０１２９】
本態様の特徴は、図１５に示すように、集積ボックス７５０の壁７５１に衝撃吸収用のクッション材を設けることである。フィルムシートの先端を傷つけたり、折れることなく集積できる効果がある。
【０１３０】
クッション材としては、ウレタンゴムなどのゴム、布、綿などを用いることができ、また空気袋などを用いることもできる。空気袋の材質は特に限定されないが、ポリエチレン等の樹脂フィルム等が好ましい。
【０１３１】
また本態様において、壁７５１そのものをクッション性のある部材で形成してもよい。
【０１３２】
さらに、第９の態様と同様に、壁７５１の上端とベルトコンベア出口の高さ位置Ｘの距離Ｙを１５±５ｍｍになるように、壁７５１を形成することも好ましい。
【０１３３】
また、壁７５１と対向する壁７５３に、跳ね返り防止用の板７５４を設けることも好ましい。
【０１３４】
（第１１の態様）
次に本発明の第１１の態様を説明する。
【０１３５】
ボックス内集積手段を備えている点は第９の態様と同じであり、２枚重ねのフィルムシートをベルトコンベアで搬送した後、集積ボックスの壁に衝突させてフィルムシートを停止させる点も同様である。
【０１３６】
本態様の特徴は、図１６に示すように、集積ボックス７５０の上方から下向きにエアーを吹き付ける手段として、エアノズル７５５を設けることである。
【０１３７】
このエアノズル７５５を設けると、集積ボックス内に確実に集積できる。
【０１３８】
以上の第９〜１１の態様は集積ボックス内に集積する場合を説明したが、集積ボックスに変えて、集積トレーに集積する場合にも適用できる。
【図面の簡単な説明】
【図１】本発明の第１の態様を示す概略側面図
【図２】本発明の第２の態様を示す概略図
【図３】本発明の第３の態様を示す概略図
【図４】本発明の第３の態様における別の態様を示す概略図
【図５】本発明のサクションコンベアの概略図
【図６】本発明のサクションコンベアの概略図
【図７】本発明の第４の態様を示す概略図
【図８】本発明の第５の態様に係る切断手段を示す概略図
【図９】本発明の第５の態様に係る下刃の形態を示す斜視図
【図１０】本発明の第５の態様に係る他の態様の切断手段を説明する説明図
【図１１】本発明の第５の態様に係る切断加工手段を示す概略図
【図１２】本発明の第５の態様に係る更に別の切断手段を説明する説明図
【図１３】本発明の第７の態様を示す概略図
【図１４】本発明の第９の態様に係るフィルムシートを停止させる状態を説明する集積ボックスの概略図
【図１５】本発明の第１０の態様に係るフィルムシートを停止させる状態を説明する集積ボックスの概略図
【図１６】本発明の第１１の態様に係るフィルムシートを停止させる状態を説明する集積ボックスの概略図
【符号の説明】
１：フィルム元巻部
１００：フィルムウェブ
１０１：元巻き軸
１０２：駆動ローラ
２：フィルム元巻部
２００：フィルムウェブ
２０１：元巻き軸
２０２：駆動ローラ
３：重ね部
３００：下方の支持ロール
３０１：上方の支持ロール
３０２：押しバネ
４：コンベア
４００：上方から下方に向かって押圧支持搬送するコンベア
４０１：下方から上方に向かって押圧支持搬送するコンベア
５：切断手段
５００、５０４：下刃（切断刃）
５０１、５０３：上刃（切断刃）
５０２：フィルムシート
５０５：コンベア
５０６：押圧ロール
５０７：押しばね
５０８：下刃
５０９：上刃
５１０：刃先
５１１：ガイド
５１２：丸み
５１３：ロール
６：搬送コンベア
６００、６０１、６０３、６２０、６２７、６３２：搬送コンベア
６０２、６２８、６３３：方向切替コンベア
６０４、６０５、６２１、６２２、６２５、６２６：サクションコンベア
６０６：サクションボックス
６０７、６０８：搬送ロール
６０９：ベルト
６１０：吸引孔
６１１：吸引管
６１２〜６１７、６２３、６２４、６３０、６３１、６３５、６３６：コンベア
６２９、６３４：集積ボックス
７：トレー集積手段
７００：トレー
７００Ａ〜７００Ｃ：トレー
７０１：ベルトコンベア
７０２、７０３：回動ロール
７０４：吸引チャンバ
７０５：ベルト
７０６：吸引孔
７０７：トレー積置部
７０８：トレー移載手段
７０９：フィルムシート集積部
７１０：フィルムシート移載手段
７５０：集積ボックス
７５１、７５３：壁
７５４：跳ね返り防止用の板
７５５：エアノズル
８、９：張力制御部
１０、１１：サイドマーク印字部
１２、１３：蛇行制御部
１４、１５：不良ラベル検出部
【図１】
2004123353.tif 000003
【図２】
2004123353.tif 000004
【図３】
2004123353.tif 000005
【図４】
2004123353.tif 000006
【図５】
2004123353.tif 000007
【図６】
2004123353.tif 000008
【図７】
2004123353.tif 000009
【図８】
2004123353.tif 000010
【図９】
2004123353.tif 000011
【図１０】
2004123353.tif 000012
【図１１】
2004123353.tif 000013
【図１２】
2004123353.tif 000014
【図１３】
2004123353.tif 000015
【図１４】
2004123353.tif 000016
【図１５】
2004123353.tif 000017
【図１６】
2004123353.tif 000018